(57)【要約】【課題】  室内をいつも快適な環境に造成することによって室内で生活する人の健康増進に貢献する。【解決手段】  本発明は、室内空気が濁るとか汚染したとき、その汚染した室内空気を室外に排出させるとともに室外の清浄な空気を室内に供給する空気交換システムと、室内が乾燥しているとき、その乾燥した室内を加湿させる加湿装置とを備えた加湿機能を有する室内空気管理装置を提供する。【選択図】  図１
2014519595.tif 000002
【特許請求の範囲】
【請求項１】
排気手段１１０の作動によって室内空気を吸入し、その吸入された室内空気を室外に排出させる室内空気吸気管Ｐ１と室内空気排気管Ｐ２がそれぞれ設置され、吸気手段１２０の作動によって室外空気を吸入し、その吸入された室外空気を室内に供給する室外空気吸気管Ｐ３と室外空気給気管Ｐ４がそれぞれ設置された本体１００；
湿潤空気排気手段２１０の作動によって前記室内空気吸気管Ｐ１を通じて室内空気が吸入され、その吸入された室内空気が下がる水に濡れる加湿誘導手段２２０を通過しながら水分を気化させて湿潤空気給気管Ｐ５を通じて室内に供給する加湿手段２００；
前記室内空気吸気管Ｐ１から吸入された空気は室内空気排気管Ｐ２側に誘導し、前記室外空気吸気管Ｐ３から吸入された空気は室外空気給気管Ｐ４側に誘導するように前記本体１００の内部中央にその本体の内部空間を両分するように設置された六面体の空気誘導手段３００；及び
前記排気手段１１０、吸気手段１２０、及び湿潤空気排気手段２１０を選択的に制御し、室内空気が濁るとか汚染したとき、その室内空気を室外空気と交換させ、あるいは室内が乾燥しているとき、加湿するように制御する制御部４００；を含んでなることを特徴とする、加湿機能を有する室内空気管理装置。
【請求項２】
前記室外空気給気管Ｐ４の排出側端部は、湿潤空気給気管Ｐ５に連結されて設置されることを特徴とする、請求項１に記載の加湿機能を有する室内空気管理装置。
【請求項３】
前記本体１００には、前記空気誘導手段３００を中心に両側にそれぞれの棚１３０が設置されてそれぞれの上部領域Ａ'、Ａ"と下部領域Ｂ'、Ｂ"に区分され、前記それぞれの上部領域には仕切り１４０が設置されて独立したそれぞれの第１〜第４上部空間Ｒ１、Ｒ２、Ｒ３、Ｒ４が設けられ、第１上部空間Ｒ１には室内空気吸気管Ｐ１と湿潤空気給気管Ｐ５の一側端及び湿潤空気排気手段２１０と加湿誘導手段２２０が設置され、第２上部空間Ｒ２には室外空気給気管Ｐ４の一側端及び吸気手段１２０が設置され、第３上部空間Ｒ３には室外空気吸気管Ｐ３の一側端が設置され、第４上部空間Ｒ４には室内空気排気管Ｐ２の一側端及び排気手段１１０が設置され、前記第２上部空間Ｒ２は前記下部領域Ｂ'に連通する構造からなり、前記第４上部空間Ｒ４は下部領域Ｂ"に連通する構造からなることを特徴とする、請求項１に記載の加湿機能を有する室内空気管理装置。
【請求項４】
前記空気誘導手段３００は、両側断面は取っ手３１２が形成された隔壁３１１で密閉され、その外の残りの上下左右面が開放した六面体の空気誘導ボックス３１０を備え、その空気誘導ボックスの内部には谷部と山部が長手方向に沿って連続して形成された空気誘導パネル３２１が谷部と山部が互いにずれるように重畳して配列されてなる六面体の空気誘導体３２０が設置されてなることを特徴とする、請求項１に記載の加湿機能を有する室内空気管理装置。
【請求項５】
前記空気誘導手段３００は複数に分割して形成され、その複数に分割して形成された前記空気誘導手段の一側には室外空気吸気管Ｐ３を通じて吸入された空気中の異物を濾すようにフィルターＦが設置されたことを特徴とする、請求項１に記載の加湿機能を有する室内空気管理装置。
【請求項６】
前記本体１００の中央部両側及び底面には本体の内部を横切るそれぞれのレール１６０が設置され、それぞれのレールが終わる本体の両側面には開閉門１５０が設置され、前記それぞれのレールには空気誘導手段３００が正面から見て菱形となるように結合されて設置されることを特徴とする、請求項１に記載の加湿機能を有する室内空気管理装置。
【請求項７】
前記加湿手段２００は、最上部に設置された給水チャンバー２３０と、その給水チャンバーから水を受け、下がる水に濡れるように前記給水チャンバーの下部に設置された加湿誘導手段２２０と、その加湿誘導手段で下がる水を受けるように前記加湿誘導手段の下部に設置された水収容器２４０と、その水収容器の水が不足であれば、水収容器に水を補充するように前記水収容器の一側に設置された水補充手段２５０と、前記水収容器の水位を測定するように水収容器に設置された水位測定器２６０と、前記水収容器の水を前記給水チャンバーにポンプして供給するとか外部にドレインさせるように設置されたポンプ手段２７０と、前記室内空気吸気管Ｐ１を通じて室内空気を吸入し、その吸入された空気を加湿誘導手段２２０を通過させた後、その加湿誘導手段を通過した湿潤空気を湿潤空気給気管Ｐ５に排出させる湿潤空気排気手段２１０と、前記水補充手段、水位測定器、ポンプ手段、及び湿潤空気排気手段を制御する制御部４００とを含んでなることを特徴とする、請求項１に記載の加湿機能を有する室内空気管理装置。
【請求項８】
前記加湿誘導手段２２０は、上部が開放し、前後面には空気が円滑に通気するそれぞれのスクリーン体２２２が設置され、下部には排水孔２２３が形成され、両側面には気密性パネル２２４が設置されてなるケース２２１と、前記ケース２２１の内部に装入され、前記給水チャンバー２３０から供給されて下がる水に濡れる加湿フィルター２２０とを含んでなることを特徴とする、請求項７に記載の加湿機能を有する室内空気管理装置。
【請求項９】
前記水補充手段２５０はフロートバルブであり、水位測定器２６０は、水収容器の水補充可否を感知する第１センサー２６１と、水収容器の水適正状態を感知する第２センサー２６２と、水収容器の溢水を感知する第３センサー２６３とを含んでなり、前記ポンプ手段２７０は、水収容器の水を前記給水チャンバーにポンプする第１ポンプ２７１と、水収容器の水を外部にドレインさせる第２ポンプ２７２とを含んでなることを特徴とする、請求項７に記載の加湿機能を有する室内空気管理装置。
【請求項１０】
前記水収容器２４０の一側、つまり第１センサー２６１、第２センサー２６２、及び第３センサー２６３が設置された側には、加湿誘導手段２２０の下部に水とともに排出される空気の影響を前記第１センサー２６１、第２センサー２６２、及び第３センサー２６３が受けないようにするための空気遮断壁２８０が設置され、前記空気遮断壁２８０の一側には水収容器の水が円滑に流通するように孔２８１が形成されることを特徴とする、請求項７に記載の加湿機能を有する室内空気管理装置。
【請求項１１】
前記加湿手段２００による室内加湿を中断するために制御部４００の電源スイッチ４２０をオフすれば、カウンター部４３０がカウントし、ポンプ手段２７０と湿潤空気排気手段２１０を一定時間作動させて水収容器２４０に残っている水を外部に排出させるとともに加湿誘導手段２２０の水分を乾燥させることを特徴とする、請求項１または７に記載の加湿機能を有する室内空気管理装置。
【請求項１２】
前記加湿誘導手段２２０を洗浄するときには、制御部に形成された洗浄スイッチＣＳをオン（ＯＮ）して水補充手段２５０を通じて水を水収容器２４０に供給し、ポンプ手段２７０によって水収容器の水を前記給水チャンバーに供給するとともに外部にドレインさせる作動を一定時間実施して前記加湿誘導手段を洗浄するとともに水収容器の水を新しい水に交換することを特徴とする、請求項１または７に記載の加湿機能を有する室内空気管理装置。
【請求項１３】
前記室内空気吸気管Ｐ１、室内空気排気管Ｐ２、室外空気吸気管Ｐ３、室外空気給気管Ｐ４、及び湿潤空気給気管Ｐ５にはそれぞれの管に進行する空気の逆流を防止する逆流防止バルブＢ１、Ｂ２、Ｂ３、Ｂ４、及びＢ５が設置されることを特徴とする、請求項１に記載の加湿機能を有する室内空気管理装置。
【請求項１４】
前記室内空気吸気管Ｐ１、室内空気排気管Ｐ２、室外空気吸気管Ｐ３、及び湿潤空気給気管Ｐ５にはそれぞれの管に進行する空気中の異物を濾すフィルターＦ１、Ｆ２、Ｆ３、Ｆ４が設置されることを特徴とする、請求項１に記載の加湿機能を有する室内空気管理装置。
【請求項１５】
前記室内空気吸気管Ｐ１及び室内空気排気管Ｐ２の入口には、供給される空気を冷却または加熱することができる冷却装置と加熱装置のいずれか一つまたは二つが設置されることを特徴とする、請求項１に記載の加湿機能を有する室内空気管理装置。
【発明の詳細な説明】
【技術分野】
【０００１】
本発明は室内空気が濁るとか汚染した場合にはその濁るとか汚染した室内空気を室外に排出させるとともに室外空気を室内に供給し、また室内が乾燥している場合にはその乾燥した室内を加湿して室内環境をいつも快適に管理するようにした加湿機能を有する室内空気管理装置に関するものである。
【背景技術】
【０００２】
一般に、室内を暖房する場合には、その暖房によって室内が乾燥し、このような室内空気の乾燥によって人の気管支を害するとかまたは室内生活の不快指数が高くなる原因となっている。
したがって、前記乾燥した室内の湿度を調節するための加湿器の使用が普遍化している。このような加湿器はその用途及び作動法などによって多様な形態（蒸気式、噴霧式、気化式）として提供されている。
前記蒸気式は水を加熱して発生する蒸気を目的とする所に直接噴射する方式であり、噴霧式は噴霧時に発生する噴霧力、超音波振動、遠心力で水を微細に粉砕して目的とする所に噴霧する方式であり、気化式は水に濡れた充填物が空気と接触して熱交換するときに水分を蒸発させる方式である。
このうち、本発明に係わる気化式は、回転式、毛細管式、及び直下式に区分されるが、前記直下式が本発明技術と類似している。すなわち、直下式は充填材に水を供給してその水を吸収させた後、空気を通過させて、蒸発によって湿潤空気を発生させる技術である。
従来の室内空気循環器は加湿機能のない純粋空気のみを循環させる方式のもので、室内を加湿させると同時に室内の濁っている空気を換気させるためには、加湿器と室内空気循環器をそれぞれ設置して稼働させなければならない問題点がある。
【発明の概要】
【発明が解決しようとする課題】
【０００３】
本発明は室内空気が濁るとか汚染したとき、その汚染した室内空気を室外に排出させるとともに室外の清浄な空気を室内に供給する空気交換システムと、室内が乾燥しているとき、その乾燥した室内を加湿させる加湿装置とを一緒に備えた加湿機能を有する室内空気管理装置を提供して室内をいつも快適な環境に造成することにより、室内で生活する人の健康増進に貢献するようにすることにその目的がある。
【課題を解決するための手段】
【０００４】
前記の目的を達成するための本発明の課題解決手段の構成は、排気手段１１０の作動によって室内空気を吸入し、その吸入された室内空気を室外に排出させる室内空気吸気管Ｐ１と室内空気排気管Ｐ２がそれぞれ設置され、吸気手段１２０の作動によって室外空気を吸入し、その吸入された室外空気を室内に供給する室外空気吸気管Ｐ３と室外空気給気管Ｐ４がそれぞれ設置された本体１００；湿潤空気排気手段２１０の作動によって前記室内空気吸気管Ｐ１を通じて室内空気が吸入され、その吸入された室内空気が下がる水に濡れる加湿誘導手段２２０を通過しながら水分を気化させて湿潤空気給気管Ｐ５を通じて室内に供給する加湿手段２００；前記室内空気吸気管Ｐ１から吸入された空気は室内空気排気管Ｐ２側に誘導し、前記室外空気吸気管Ｐ３から吸入された空気は室外空気給気管Ｐ４側に誘導するように前記本体１００の内部中央にその本体の内部空間を両分するように設置された六面体の空気誘導手段３００；及び前記排気手段１１０、吸気手段１２０、及び湿潤空気排気手段２１０を選択的に制御し、室内空気が濁るとか汚染したとき、その室内空気を室外空気と交換させ、あるいは室内が乾燥しているとき、加湿するように制御する制御部４００；を含んでなる。
【発明の効果】
【０００５】
本発明の加湿機能を有する室内空気管理装置は、室内空気を適切に加湿して湿度を調節することができるのはもちろんのこと、室内空気の排気及び室外空気の吸入によって室内空気を換気させることで室内空気を清浄に管理し、室内の酸素濃度を調節することができて室内を快適に造成することができ、また前記排気及び吸入される空気の異物を濾過して室内空気中に異物が存在しないようにする効果がある。
【図面の簡単な説明】
【０００６】
【図１】本発明による加湿機能を有する室内空気管理装置の概略図である。
【図２】本発明による加湿機能を有する室内空気管理装置構成を説明するためのカバーが開かれた状態の斜視図である。
【図３】本発明による加湿機能を有する室内空気管理装置の加湿手段を説明するための部分斜視図である。
【図４】本発明による加湿機能を有する室内空気管理装置の加湿手段を説明するための一部分解斜視図である。
【図５】本発明による加湿機能を有する室内空気管理装置の本体の内部構造を説明するための全体斜視図である。
【図６】本発明による加湿機能を有する室内空気管理装置の本体の内部構造を説明するための一部断面斜視図である。
【図７】本発明による加湿機能を有する室内空気管理装置の空気誘導手段の構造を説明するための一部切開斜視図である。
【図８】本発明による加湿機能を有する室内空気管理装置の制御部の構成を示した概略図である。
【発明を実施するための形態】
【０００７】
以下、本発明の好適な実施例による加湿機能を有する室内空気管理装置を添付図面に基づいて詳細に説明すれば次のようである。
本発明の実施例による加湿機能を有する室内空気管理装置において、本体１００は多目的室などの室内の所定位置に設置されるものである。これは、図１及び図２に示したように、排気手段１１０の作動によって室内空気を吸入し、その吸入された室内空気を室外に排出させる室内空気吸気管Ｐ１と室内空気排気管Ｐ２がそれぞれ設置され、吸気手段１２０の作動によって室外空気を吸入し、その吸入された室外空気を室内に供給する室外空気吸気管Ｐ３と室外空気給気管Ｐ４がそれぞれ設置されてなる。
そして、本発明の加湿手段２００は、室内が乾燥しているとき、その乾燥した室内を加湿させる役割をするものである。これは、図１及び図２に示したように、湿潤空気排気手段２１０の作動によって前記室内空気吸気管Ｐ１を通じて室内空気が吸入され、その吸入された室内空気が、下がる水に濡れる加湿誘導手段２２０を通過しながら水分を気化させ、湿潤空気給気管Ｐ５を通じて室内に供給するように構成される。
また、本発明の空気誘導手段３００は、前記室内空気吸気管Ｐ１を通じて吸入された空気を室内空気排気管Ｐ２側に誘導し、前記室外空気吸気管Ｐ３を通じて吸入された空気を室外空気給気管Ｐ４側に誘導するために、前記本体１００の内部中央にその本体の内部空間を両分するように設置された六面体からなる。
また、本発明の制御部４００は、室内空気が濁るとか汚染したとき、その室内空気を室外空気と交換させるとか、または室内が乾燥しているとき、その乾燥した室内を加湿させるように前記排気手段１１０、吸気手段１２０、及び湿潤空気排気手段２１０を選択的に制御する役目をする。
前記のような構成を持つ本発明の加湿機能を有する室内空気管理装置を用いて室内の濁った空気または汚染した空気を交換させようとするときには、排気手段１１０であるブロアーを作動させて室内空気吸入力を発生させれば、その吸入力は空気誘導手段３００を通じて室内空気吸気管Ｐ１に伝達されて室内空気を吸入し、このように室内空気吸気管Ｐ１に吸入された空気は前記空気誘導手段３００を通じて吸入され、排気手段１１０であるブロアーによって室内空気排気管Ｐ２に排出される。
また、室外空気を室内に供給するときには、吸気手段１２０であるブロアーを作動させて空気吸入力を発生させれば、その吸入力は空気誘導手段３００を通じて室外空気吸気管Ｐ３に伝達されて室外空気を吸入し、このように室外空気吸気管Ｐ３に吸入された室外空気は前記空気誘導手段３００を通じて吸入され、吸気手段１２０であるブロアーによって室外空気給気管Ｐ４に供給されるものである。
このようにして、室内空気が室外に排出され、室外空気が室内に供給されれば、室内は清浄な室外空気で交換され、このように交換された室内空気は酸素濃度の豊かな清浄な空気が存在するようになるものである。
また、室内が乾燥して加湿が必要なときには、前記排気手段１１０と吸気手段１２０の作動を停止させ、加湿手段２００の構成部である湿潤空気排気手段２１０であるブロアーを作動させれば、空気吸入力が発生し、その吸入力が加湿誘導手段２２０を通じて室内空気吸気管Ｐ１に伝達されることにより、前記室内空気吸気管Ｐ１には室内空気が吸入され、その吸入された室内空気は加湿誘導手段２２０を通過しながら加湿誘導手段２２０の水分を奪って湿潤空気に転換され、その湿潤空気に転換された湿潤空気は湿潤空気排気手段２１０であるブロアーによって湿潤空気給気管Ｐ５を通じて室内に供給される。
前記湿潤空気給気管Ｐ５は、湿潤空気吐出口に湿度測定センサーＳ１が設置され、その湿度測定センサーＳ１による測定値によって加湿手段２００を作動し続けて室内を加湿させるかそれとも加湿手段２００の作動を停止させて加湿を中断するかを制御部４００によって制御する。
一方、前記室内のルームが複数であるときは、その複数のルームに相応して湿潤空気給気管Ｐ５を分岐して設置することが好ましい。
そして、前記室内空気と室外空気を交換するときには、制御部４００に形成された室内空気交換スイッチ４１０をオン（ＯＮ）して排気手段１１０と吸気手段１２０を作動させて交換させることもでき、室内に酸素濃度測定センサーＳ２を設置し、その酸素濃度測定センサーＳ２の測定値によって制御部４００で制御して自動で交換させることもできる。
前記加湿手段２００の構成部である加湿誘導手段２２０は、水が加湿誘導手段を濡らしながら上部から下部に下がるので、加湿誘導手段２２０を通過する空気は加湿誘導手段２２０の水分を奪って湿潤空気となるものである。
前記加湿手段２００の一実施例の構成は、図３に示したように、最上部に設置された給水チャンバー２３０と、その給水チャンバーから水を受け、上部から下部に下がる水に濡れるように前記給水チャンバー２３０の下部に設置された加湿誘導手段２２０と、前記加湿誘導手段で下がる水を受けるように前記加湿誘導手段２２０の下部に設置された水収容器２４０と、その水収容器の水が不足であれば水収容器に水を補充するように前記水収容器２４０の一側に設置された水補充手段２５０と、前記水収容器２４０の水位を測定するために水収容器に設置された水位測定器２６０と、前記水収容器２４０の水を前記給水チャンバー２３０にポンピングして供給するかまたは外部にドレインさせるように設置されたポンプ手段２７０と、前記室内空気吸気管Ｐ１を通じて室内空気を吸入し、その吸入された空気を加湿誘導手段２２０を通過させた後、その加湿誘導手段を通過した湿潤空気を湿潤空気給気管Ｐ５に排出させる湿潤空気排気手段２１０と、前記水補充手段２５０、水位測定器２６０、ポンプ手段２７０、及び湿潤空気排気手段２１０を制御する制御部４００とからなる。
前記加湿誘導手段２２０の一実施例の構成は、図４に示したように、上部が開放し、前後面には通気が円滑になされるそれぞれのスクリーン体２２２が設置され、下部には排水孔２２３が形成され、両側面には気密性パネル２２４が設置されてなるケース２２１と、前記ケース２２１の内部に装入され、前記給水チャンバー２３０の排水口２３１から供給されて下がる水に濡れる加湿フィルター２２５とからなる。
前記加湿フィルター２２５は水に染み込まれるとか濡れるとともに円滑に下がるようにするとともに空気が加湿フィルター２２５の間を通過することができるようにする構造のものであればいずれも可能である。
また、前記水補充手段２５０は、水道施設などから分岐した給水ラインに連結され、水道水が水収容器２４０に直接供給されるようにする装置であり、水収容器２４０の水位が設定範囲以上のときには水収容器２４０への水供給が中断され、水収容器２４０の水位が設定範囲以下のときには水収容器２４０に水を供給する役目をする。このような作用をする前記水補充手段２５０の好ましい例はフロートバルブである。
一方、前記フロートバルブは本発明の好適な実施例であるが、その外にも水収容器２４０の水位が設定範囲以上のときには水収容器２４０への水供給が中断され、水収容器２４０の水位が設定範囲以下のときには水収容器２４０に水を供給する役目をするバルブ装置であればいずれも可能である。
そして、水位測定器２６０は、水収容器２４０の水補充可否を感知する第１センサー２６１と、水収容器の水適正状態を感知する第２センサー２６２と、水収容器の溢水を感知する第３センサー２６３とからなり、前記ポンプ手段２７０は、水収容器の水を前記給水チャンバー２３０にポンピングして供給する第１ポンプ２７１と、水収容器の水を外部にドレインさせる第２ポンプ２７２とからなる。
前記のような構成を持つ本発明の加湿手段２００は、水収容器２４０の水を第１ポンプ２７１がポンプして給水チャンバー２３０に供給し、その水を受けた給水チャンバー２３０の排水口２３１では加湿フィルター２２５に水を継続して均等に供給するので、水は加湿フィルター２２５を濡らしながら下がり、排水孔２２３を通じて水収容器２４０に排水されるものである。
したがって、前記加湿フィルター２２５を通過する空気は加湿フィルター２２５の水分を奪って通過することによって湿潤空気となるものである。
前記水収容器２４０の水位調節は、第１センサー２６１、第２センサー２６２、及び第３センサー２６３の相互作用によって十分であるが、前記第１センサー２６１、第２センサー２６２、及び第３センサー２６３、つまり水位測定器２６０の故障または誤作動によって水収容器２４０の水が不足になるとか溢れることによって発生する問題点を解消するためにフロートバルブを設置した。
また、前記水収容器２４０の水位調節はフロートバルブによっても十分であるが、前記フロートバルブの故障または誤作動によって水収容器２４０の水が不足になるとか溢れるようになる場合、これを解消するために、第１センサー２６１、第２センサー２６２、及び第３センサー２６３、つまり水位測定器２６０を設置した。
このように、水収容器２４０に設置されたフロートバルブと水位測定器２６０は、いずれか一つが故障または誤作動するとき、それに代わることで水収容器２４０の水位をいつも安定に管理することができる利点がある。したがって、室内の加湿が安定的になされ、それによって水収容器の溢水または水不足による安全事故は発生しない。
また、前記ポンプ手段２７０において第１ポンプ２７１と第２ポンプ２７２をそれぞれ設置した理由は、第１ポンプ２７１は水収容器２４０の水を給水チャンバー２３０に安全に供給するためであり、第２ポンプ２７２は加湿手段２００の作動が不要なとき、つまり室内加湿が不要なとき、水収容器２４０の水を室外に排出するためである。
そして、前記加湿手段２００による室内加湿を中断しようと制御部４００の電源スイッチ４２０をオフすれば、カウンター部４３０がカウントして第２ポンプ２７２と湿潤空気排気手段２１０を一定時間作動させることで水収容器２４０に残っている水を外部に排出させるとともに加湿フィルター２２５の水分を乾燥させることによって加湿フィルター２２５で人体に有害な微生物が棲息することができなくなる。
また、前記加湿フィルター２２５を洗浄しようとするときには、制御部４００に設けられた洗浄スイッチ４４０をオン（ＯＮ）して水補充手段２５０によって水を水収容器２４０に設定時間のうちに供給し、ポンプ手段２７０である第１ポンプ２７１及び第２ポンプ２７２によって水収容器２４０の水を前記給水チャンバーに供給するとともに外部にドレインさせる作動を一定時間実施することにより、前記加湿誘導手段２２０の加湿フィルター２２５を洗浄するとともに水収容器２４０の水を新しい水に交換することにより、加湿フィルター２２５を濡らしながら下がる水はいつも清浄に維持することができるものである。
一方、前記水収容器２４０の一側、つまり第１センサー２６１、第２センサー２６２、及び第３センサー２６３が設置された側には加湿誘導手段２２０の下部に水とともに排出される空気の影響を前記第１センサー２６１、第２センサー２６２、第３センサー２６３が受けないようにするために空気遮断壁２８０が設置され、また前記空気遮断壁２８０の一側には水収容器の水が円滑に流通するように孔２８１が形成されることにより、水収容器２４０の水位は空気遮断壁２８０を中心に両側が同一水位を維持する。
前記空気遮断壁２８０を設置しなければ、加湿誘導手段２２０の下部に水とともに排出される空気圧によって水収容器の水がだぶつくようになり、その水のだぶつきによって前記第１センサー２６１、第２センサー２６２、及び第３センサー２６３の誤作動を誘発するようになる。したがって、前記の各センサーの誤作動を防止するために空気遮断壁２８０が設置される。
一方、本発明の室外空気給気管Ｐ４の排出側端部は湿潤空気給気管Ｐ５に連結設置され、室外空気が湿潤空気給気管Ｐ５を通じて室内に供給されるようにすることにより、室内の各ルームに室外空気給気管Ｐ４を分岐せずに一つの湿潤空気給気管Ｐ５で室外空気及び湿潤空気を供給することができる。
そして、前記湿潤空気排気手段２１０であるブロアーは支持パネル１７０に設置され、その支持パネル１７０には前記湿潤空気排気手段２１０であるブロアーに連通する連通孔１７１が形成されている。
また、前記支持パネル１７０の両側端部は上部空間Ｒ１の両側壁に密着して設置され、前記支持パネル１７０の上端は蓋１８０の内面と密着し、支持パネル１７０の下端は棚１３０と密着することにより、前記上部空間Ｒ１は支持パネル１７０を中心に両分される。
本発明の本体１００内部構造は、図５及び図６に示したように、空気誘導手段３００を中心に両側にそれぞれの棚１３０が設置されることで本体１００の内部が上部領域Ａ'、Ａ"と下部領域Ｂ'、Ｂ"に分割され、前記それぞれの上部領域には仕切り１４０が設置されて独立したそれぞれの第１〜第４上部空間Ｒ１、Ｒ２、Ｒ３、Ｒ４が備えられ、第１上部空間Ｒ１には室内空気吸気管Ｐ１と湿潤空気給気管Ｐ５の一側端及び加湿手段２００が設置され、第２上部空間Ｒ２には室外空気給気管Ｐ４の一側端及び吸気手段１２０が設置され、第３上部空間Ｒ３には室外空気吸気管Ｐ３の一側端が設置され、第４上部空間Ｒ４には室内空気排気管Ｐ２の一側端及び排気手段１１０が設置される。
そして、前記第２上部空間Ｒ２は前記下部領域Ｂ'に連通する構造からなり、前記第４上部空間Ｒ４は下部領域Ｂ"に連通する構造からなる。
したがって、室内空気吸気管Ｐ１に吸入される室内空気は、第１上部空間Ｒ１→空気誘導手段３００→下部領域Ｂ"→第４上部空間Ｒ４→排気手段１１０→室内空気排気管Ｐ２の順に進行して室外に排出され、前記室外空気吸気管Ｐ３に吸入される室外空気は、第３上部空間Ｒ３→空気誘導手段３００→下部領域Ｂ'→第２上部空間Ｒ２→吸気手段１２０→室外空気給気管Ｐ４→湿潤空気給気管Ｐ５の順に進行して室内に供給される。
また、本発明の空気誘導手段３００の構造は、図７に示したように、一側端面は取っ手３１２が形成された隔壁３１１で密閉され、その外の残りの上下左右面が開放した六面体の空気誘導ボックス３１０が備えられ、その空気誘導ボックスの内部には谷部と山部が長手方向に沿って連続して形成された空気誘導パネル３２１が谷部と山部が互いにずれるように重畳して配列されてなる六面体の空気誘導体３２０が設置されてなる。
したがって、排気手段１１０であるブロアーの作動によって室内空気吸気管Ｐ１に吸入される室内空気は空気誘導パネル３２１の谷部に沿って下部領域Ｂ"を通し排気手段１１０を経て室内空気排気管Ｐ２に進行し、前記吸気手段１２０の作動によって室外空気吸気管Ｐ３に吸入される室外空気は空気誘導パネル３２１を谷部に沿って下部領域Ｂ'を通し吸気手段１２０を経て室外空気給気管Ｐ４→湿潤空気給気管Ｐ５に進行する。
一方、前記空気誘導手段３００は二つに両分されて空気誘導手段３００の取り扱いを容易にし、前記二つに両分された空気誘導手段３００の上部に向かう面には室外空気吸気管Ｐ３を通じて吸入された空気中の異物を濾すようにフィルターＦが設置されることにより、室内に異物が流入することを防止する。
また、本発明は、本体１００の中央部両側及び底面に本体１００の内部を横切るそれぞれのレール１６０が設置され、それぞれのレール１６０が終わる本体１００の両側面には開閉門１５０が設置され、前記それぞれのレール１６０には空気誘導手段３００が正面から見て菱形となるように結合されて設置される。
このように、空気誘導手段３００を正面から見るとき菱形とように結合して設置すれば、空気誘導手段３００の下側角部は本体１００の底面に形成されたレールに結合され、両側角部は本体１００の中央部両側棚１３０に設けられたレールに結合されるので、本体１００の内部が両分される。
このように、本体１００の内部が両分されるように設置された空気誘導手段３００の上部両側は上部領域Ａ'、Ａ"に位置し、空気誘導手段３００の下部両側は下部領域Ｂ'、Ｂ"に位置することにより、上部領域Ａ'の第１上部空間Ｒ１に設置された室内空気吸気管Ｐ１に吸入される室内空気は空気誘導手段３００の一側上面を通じて下部領域Ｂ"→第４上部空間Ｒ４→排気手段１１０→室内空気排気管Ｐ２の順に排出され、前記室外空気吸気管Ｐ３に吸入される室外空気は第３上部空間Ｒ３→空気誘導手段３００の他側上面を通じて下部領域Ｂ'→第２上部空間Ｒ２→吸気手段１２０→室外空気給気管Ｐ４→湿潤空気給気管Ｐ５の順に進行して室内に供給される。
また、本発明の室内空気吸気管Ｐ１、室内空気排気管Ｐ２、室外空気吸気管Ｐ３、室外空気給気管Ｐ４、湿潤空気給気管Ｐ５にはそれぞれのバルブＢが設置されることで空気の逆流を防止し、前記室内空気吸気管Ｐ１、室内空気排気管Ｐ２、室外空気吸気管Ｐ３、湿潤空気給気管Ｐ５にはそれぞれのフィルターＦがそれぞれの管から分解結合可能に設置されることにより、前記それぞれの管に進行する空気中に含有された異物を濾過する。
また、前記室内空気吸気管Ｐ１及び室内空気排気管Ｐ２の入口には供給される空気を冷却または加熱することができる冷却装置と加熱装置が設置されることで、必要によって空気を冷却するとか加熱するようにする。
一方、本発明の本体１００の上端には蓋１８０が開閉可能に設置され、このような蓋１８０が本体１００に結合されれば、その結合された蓋１８０の内面は本体１００の上端、仕切り１４０の上端、空気誘導手段３０００の上端と緊密に面接触する。
前記冷却装置の作動は室内温度が高いときにその温度を低めるためであり、加熱装置の作動は室内温度が低いときにその温度を高めるためである。このようにすれば、室内に別途の冷房／暖房装置を設置しなくても冷房／暖房することができる効果があるので、省エネルギーが可能な利点がある。
このように、本発明は、室内空気を適切に加湿して湿度を調節することができるのはもちろんのこと、室内空気の排気及び室外空気の吸入によって室内空気を換気させることによって室内空気を清浄に管理して快適な室内環境を造成することができる利点がある。
【図１】
2014519595.tif 000003
【図２】
2014519595.tif 000004
【図３】
2014519595.tif 000005
【図４】
2014519595.tif 000006
【図５】
2014519595.tif 000007
【図６】
2014519595.tif 000008
【図７】
2014519595.tif 000009
【図８】
2014519595.tif 000010
【国際調査報告】
2014519595.tif 000011
2014519595.tif 000012
2014519595.tif 000013
2014519595.tif 000014